(57)【要約】【課題】携帯電話機等で撮影した撮影データを整理する際に、撮影場所が不明になることがある。【解決手段】本発明による撮影データ記録装置は、被写体を撮影して撮影データを生成する撮影データ生成手段１１と、撮影データ生成手段１１が被写体を撮影する際に、撮影位置を示す位置データを算出する位置データ算出手段１２と、撮影データ生成手段１１が生成した撮影データに、位置データ算出手段１２が算出した位置データを重畳して、位置データ付きの撮影データを生成する位置データ付撮影データ生成手段１４とを含むことを特徴とする。【選択図】図９
2010251923.tif 000002
【特許請求の範囲】
【請求項１】
被写体を撮影して撮影データを生成する撮影データ生成手段と、
前記撮影データ生成手段が前記被写体を撮影する際に、撮影位置を示す位置データを算出する位置データ算出手段と、
前記撮影データ生成手段が生成した前記撮影データに、前記位置データ算出手段が算出した前記位置データを重畳して、前記位置データ付きの撮影データを生成する位置データ付撮影データ生成手段とを
備えたことを特徴とする撮影データ記録装置。
【請求項２】
撮影データ生成手段が生成した撮影データと、位置データ算出手段が算出した位置データとを対応付けて記憶する記憶手段を備え、
位置データ付撮影データ生成手段は、前記記憶手段から、前記撮影データと対応付けられた前記位置データを抽出し、抽出した前記位置データを前記撮影データに重畳して、前記位置データ付きの撮影データを生成する
請求項１記載の撮影データ記録装置。
【請求項３】
位置データ付撮影データ生成手段は、ユーザが撮影データに位置データを重畳する指示操作を行った場合のみ、前記撮影データに前記位置データを重畳して、前記位置データ付きの撮影データを生成する
請求項１又は請求項２記載の撮影データ記録装置。
【請求項４】
位置データ付撮影データ生成手段は、位置データを、地名を示す地名データに変換し、変換した前記地名データを重畳して、位置データ付きの撮影データを生成する
請求項１から請求項３のうちのいずれか１項に記載の撮影データ記録装置。
【請求項５】
要求に応じて、撮影データに対応する位置データを記憶手段から抽出し、抽出した前記位置データを出力する出力手段を備えた
請求項２から請求項４のうちのいずれか１項に記載の撮影データ記録装置。
【請求項６】
被写体を撮影して撮影データを生成可能な第１の端末と、
現在地を示す位置データを算出可能な第２の端末とを備え、
前記第２の端末は、
当該第２の端末が算出した前記位置データを前記第１の端末に送信する位置データ送信手段を含み、
前記第１の端末は、
前記位置データ送信手段が送信した前記位置データを受信する位置データ受信手段と、
当該第１の端末が生成した前記撮影データに、前記位置データ受信手段が受信した前記位置データを重畳して、前記位置データ付きの撮影データを生成する位置データ付撮影データ生成手段とを
備えたことを特徴とする撮影データ記録システム。
【請求項７】
第１の端末は、当該第１の端末が生成した撮影データと、位置データ受信手段が受信した位置データとを対応付けて記憶する記憶手段を備え、
位置データ付撮影データ生成手段は、前記記憶手段から、前記撮影データと対応付けられた前記位置データを抽出し、抽出した前記位置データを前記撮影データに重畳して、前記位置データ付きの撮影データを生成する
請求項６記載の撮影データ記録システム。
【請求項８】
被写体を撮影して撮影データを生成する撮影データ生成ステップと、
前記被写体を撮影する際に、撮影位置を示す位置データを算出する位置データ算出ステップと、
生成した前記撮影データに、算出した前記位置データを重畳して、前記位置データ付きの撮影データを生成する位置データ付撮影データ生成ステップとを
含むことを特徴とする撮影データ記録方法。
【請求項９】
位置データ付撮影データ生成ステップで、生成した撮影データと算出した位置データとを対応付けて記憶する記憶部から、前記撮影データと対応付けられた前記位置データを抽出し、抽出した前記位置データを前記撮影データに重畳して、前記位置データ付きの撮影データを生成する
請求項８記載の撮影データ記録方法。
【請求項１０】
コンピュータに、
被写体を撮影して撮影データを生成する撮影データ生成処理と、
前記被写体を撮影する際に、撮影位置を示す位置データを算出する位置データ算出処理と、
生成した前記撮影データに、算出した前記位置データを重畳して、前記位置データ付きの撮影データを生成する位置データ付撮影データ生成処理とを
実行させるための撮影データ記録プログラム。
【請求項１１】
生成した撮影データと算出した位置データとを対応付けて記憶する記憶部を備えたコンピュータに、
位置データ付撮影データ生成処理で、前記記憶部から、前記撮影データと対応付けられた前記位置データを抽出し、抽出した前記位置データを前記撮影データに重畳して、前記位置データ付きの撮影データを生成する処理を実行させる
請求項１０記載の撮影データ記録プログラム。
【発明の詳細な説明】
【技術分野】
【０００１】
本発明は、撮影した撮影データを記録する撮影データ記録装置、撮影データ記録システム、撮影データ記録方法及び撮影データ記録プログラムに関する。
【背景技術】
【０００２】
携帯電話機の多機能化が進み、ＧＰＳ（Ｇｌｏｂａｌ  Ｐｏｓｉｔｉｏｎｉｎｇ  Ｓｙｓｔｅｍ：全地球測位システム）機能及びカメラ機能を搭載した携帯電話機が主流となっている。特に、カメラ機能の進歩は目覚しく、高機能化が進み、カメラ機の代わりに携帯電話機のカメラを用いて撮影するユーザも少なくない。
【０００３】
例えば、特許文献１には、ＧＰＳ機能やカメラ機能を備えた携帯電話機を用いて、情報の信頼性を高めるシステムが記載されている。
【先行技術文献】
【特許文献】
【０００４】
【特許文献１】特開２００６−１３４１１９号公報
【発明の概要】
【発明が解決しようとする課題】
【０００５】
手軽にカメラ撮影が可能となり、撮影する機会が増えている反面、撮影データを整理する際に、撮影場所が不明になることが多々ある。そのため、撮影データの管理が難しくなることがある。
【０００６】
また、特許文献１には、携帯電話機を用いて送信する画像付きメールの情報の正確性を保証するために、ＧＰＳにより位置を保証することが記載されている。しかし、一般の人から送信された情報の信頼性を高めるために位置情報を用いているにすぎず、携帯電話機等で撮影した撮影データの撮影位置を後日把握しやすくすることはできない。
【０００７】
そこで、本発明は、撮影データの撮影位置を後から容易に把握することができる撮影データ記録装置、撮影データ記録システム、撮影データ記録方法及び撮影データ記録プログラムを提供することを目的とする。
【課題を解決するための手段】
【０００８】
本発明による撮影データ記録装置は、被写体を撮影して撮影データを生成する撮影データ生成手段と、撮影データ生成手段が被写体を撮影する際に、撮影位置を示す位置データを算出する位置データ算出手段と、撮影データ生成手段が生成した撮影データに、位置データ算出手段が算出した位置データを重畳して、位置データ付きの撮影データを生成する位置データ付撮影データ生成手段とを備えたことを特徴とする。
【０００９】
本発明による撮影データ記録システムは、被写体を撮影して撮影データを生成可能な第１の端末と、現在地を示す位置データを算出可能な第２の端末とを備え、第２の端末は、第２の端末が算出した位置データを第１の端末に送信する位置データ送信手段を含み、第１の端末は、位置データ送信手段が送信した位置データを受信する位置データ受信手段と、第１の端末が生成した撮影データに、位置データ受信手段が受信した位置データを重畳して、位置データ付きの撮影データを生成する位置データ付撮影データ生成手段とを備えたことを特徴とする。
【００１０】
本発明による撮影データ記録方法は、被写体を撮影して撮影データを生成する撮影データ生成ステップと、被写体を撮影する際に、撮影位置を示す位置データを算出する位置データ算出ステップと、生成した撮影データに、算出した位置データを重畳して、位置データ付きの撮影データを生成する位置データ付撮影データ生成ステップとを含むことを特徴とする。
【００１１】
本発明による撮影データ記録プログラムは、コンピュータに、被写体を撮影して撮影データを生成する撮影データ生成処理と、被写体を撮影する際に、撮影位置を示す位置データを算出する位置データ算出処理と、生成した撮影データに、算出した位置データを重畳して、位置データ付きの撮影データを生成する位置データ付撮影データ生成処理とを実行させることを特徴とする。
【００１２】
本発明は、ＧＰＳ機能及びカメラ機能を搭載した携帯電話機において、ＧＰＳより取得（受信）した位置データと、カメラにて撮影した静止画／動画の撮影データとを、対応付けて記録することを特徴とする。
【発明の効果】
【００１３】
本発明によれば、撮影データの撮影位置を後から容易に把握することができる。
【図面の簡単な説明】
【００１４】
【図１】本発明による撮影データ記録システムの適用例を示す説明図である。
【図２】第１の実施形態における撮影データ記録システムの機能構成の一例を示す機能ブロック図である。
【図３】第１の実施形態において撮影データ記録システムが実行する処理例を示す流れ図である。
【図４】第２の実施形態における撮影データ記録システムの機能構成の一例を示す機能ブロック図である。
【図５】第２の実施形態において撮影データ記録システムが実行する処理例を示す流れ図である。
【図６】第３の実施形態による撮影データ記録システムの適用例を示す説明図である。
【図７】第３の実施形態における撮影データ記録システムの機能構成の一例を示す機能ブロック図である。
【図８】第３の実施形態において撮影データ記録システムが実行する処理例を示す流れ図である。
【図９】撮影データ記録システムの最小の構成例を示す機能ブロック図である。
【発明を実施するための形態】
【００１５】
実施形態１．
以下、本発明の第１の実施形態について説明する。図１は、本発明による撮影データ記録システムの適用例を示す説明図である。図１に示すように、携帯電話機は、ＧＰＳ衛星から、ＧＰＳ通信を行って、位置データを取得（算出）する。また、携帯電話機は、搭載するカメラ機能を用いて撮影することで、撮影データを取得（生成）する。本実施形態では、撮影データ記録システムは、カメラ機能及びＧＰＳ機能を搭載した携帯電話機を、撮影データ記録装置として用いることによって実現される。
【００１６】
図２は、第１の実施形態における撮影データ記録システムの機能構成の一例を示す機能ブロック図である。図２に示すように、撮影データ記録システムは、撮影データ生成手段１１、位置データ算出手段１２、記憶手段１３及び位置データ付撮影データ生成手段１４を含む。
【００１７】
撮影データ生成手段１１は、具体的には、プログラムに従って動作する携帯電話機のＣＰＵ及び携帯電話機が備えるカメラによって実現される。撮影データ生成手段１１は、被写体を撮影して撮影データ（例えば、静止画データや動画データ）を生成する機能を備えている。
【００１８】
位置データ算出手段１２は、具体的には、プログラムに従って動作する携帯電話機のＣＰＵ及び携帯電話機が備えるＧＰＳ受信機によって実現される。位置データ算出手段１２は、ＧＰＳ衛星とＧＰＳ通信を行って、現在地を示す位置データ（例えば、緯度、経度）を取得（算出）する機能を備えている。
【００１９】
記憶手段１３は、具体的には、プログラムに従って動作する携帯電話機が備えるメモリ等の記憶部によって実現される。記憶手段１３は、例えば、撮影データや位置データを記憶する。
【００２０】
位置データ付撮影データ生成手段１４は、具体的には、プログラムに従って動作する携帯電話機のＣＰＵによって実現される。位置データ付撮影データ生成手段１４は、撮影データに位置データを重畳して、位置データ付きの撮影データを生成する機能を備えている。
【００２１】
次に、本実施形態における撮影データ記録システムの動作について図３を用いて説明する。図３は、第１の実施形態における撮影データ記録システムの処理例を示す流れ図である。
【００２２】
被写体を撮影するために、ユーザが携帯電話機のカメラの起動操作を行うと、携帯電話機は、ユーザの操作に従って、静止画又は動画を撮影可能なカメラ機能（撮影データ生成手段１１）を起動する。（ステップＳ１１）また、携帯電話機は、カメラ機能（撮影データ生成手段１１）の起動と同時に、ＧＰＳ機能（位置データ算出手段１２）も起動し、ＧＰＳ通信を開始可能な状態にする（ステップＳ１２）
【００２３】
次いで、ユーザが被写体を定めて撮影操作を行うと、携帯電話機は、ユーザの操作に従って、カメラ機能（撮影データ生成手段１１）を用いて、被写体を撮影し、撮影データを生成する（ステップＳ１３）。また、携帯電話機は、撮影と同時に、ＧＰＳ機能（位置データ算出手段１２）を用いて、ＧＰＳ通信を開始し、撮影位置を示す位置データを取得（算出）する（ステップＳ１４）。
【００２４】
この段階で、携帯電話機は、カメラ機能（撮影データ生成手段１１）を用いて撮影データを取得（生成）し、ＧＰＳ機能（位置データ算出手段１２）を用いて位置データを取得（算出）した状態となる。
【００２５】
ここで、ユーザが撮影した撮影データを記録せず、再撮影する操作を行う場合（ステップＳ１５ａ）には、携帯電話機は、処理をステップＳ１３に移行し、ステップＳ１３以降の処理を再度実行する。
【００２６】
一方、ユーザが撮影した撮影データを記録する操作を行うと（ステップＳ１５ｂ）、携帯電話機は、ステップＳ１３で生成した撮影データと、ステップＳ１４で取得（算出）した位置データとを記憶手段１３に記憶させる（ステップＳ１６）。
【００２７】
そして、携帯電話機は、ステップＳ１３で生成した撮影データと、ステップＳ１４で取得（算出）した位置データとを対応付ける（ステップＳ１７）。例えば、携帯電話機は、ステップＳ１６において、撮影データと位置データとを対応付けて記憶手段１３に記憶させる。又は、例えば、携帯電話機は、撮影データに、対応する位置データを特定可能なインデックス情報を付加してもよい。また、携帯電話機は、ステップＳ１３で生成した撮影データのバックデータとして、ステップＳ１４で取得（算出）した位置データを記憶手段１３に記憶させる。
【００２８】
次いで、ユーザが撮影データを表示する際に、位置データを表示しないように指示操作すると（ステップＳ１８ｂ）、携帯電話機は、ユーザの操作に従って、ステップＳ１３で取得（生成）した撮影データをそのまま表示部に表示する。
【００２９】
一方、ユーザが撮影データを表示する際に、位置データを表示するように指示操作すると（ステップＳ１８ａ）、携帯電話機は、ユーザの操作に従って、ステップＳ１３で生成した撮影データに、ステップＳ１４で取得（算出）した位置データを重ねて、位置データ付きの撮影データを生成する。そして、携帯電話機は、位置データ付きの撮影データに基づいて、撮影位置を含む画像（静止画や動画）を表示部に表示するように制御する。
【００３０】
以上のように、本実施形態では、携帯電話機は、位置データを重ねた撮影データを、撮影データの装飾の１つとして表示するか否かの選択肢をユーザに提供する。そのため、ユーザは、撮影位置を示す情報を画像や動画の一部として扱うことができる。従って、ユーザは、画像を見ながら、撮影位置を安易に把握することができる。
【００３１】
なお、撮影データに重ねる位置データの例として、図３には、『地名』及び『緯度』を表記したが、携帯電話機は、例えば、地図データを備え（例えば、地図データを備えたＷｅｂサイトにアクセスすることによって取得してもよい）、ＧＰＳ機能を用いて取得（算出）した緯度・経度に対応する地名を特定することによって、図３に示すように『地名』を含む画像を表示することができる。また、ユーザが入力するフリーコメント等を記録し、フリーコメントを含む画像を表示してもよい。
【００３２】
実施形態２．
次に、本発明の第２の実施形態について図面を参照して説明する。図４は、第２の実施形態における撮影データ記録システムの機能構成の一例を示す機能ブロック図である。図４に示すように、撮影データ記録システムは、撮影データ生成手段１１、位置データ算出手段１２及び記憶手段１３を含む。なお、本実施形態では、撮影データ記録システムは、カメラ機能及びＧＰＳ機能を搭載した携帯電話機を、撮影データ記録装置として用いることによって実現される。
【００３３】
次に、本実施形態における撮影データ記録システムの動作について図５を用いて説明する。図５は、第２の実施形態における撮影データ記録システムの処理例を示す流れ図である。
【００３４】
被写体を撮影するために、ユーザが携帯電話機のカメラの起動操作を行うと、携帯電話機は、ユーザの操作に従って、静止画又は動画を撮影可能なカメラ機能（撮影データ生成手段１１）を起動する（ステップＳ２１）。また、携帯電話機は、カメラ機能（撮影データ生成手段１１）の起動と同時に、ＧＰＳ機能（位置データ算出手段１２）も起動し、ＧＰＳ通信を開始可能な状態にする（ステップＳ２２）。
【００３５】
次いで、ユーザが被写体を定めて撮影操作を行うと、携帯電話機は、ユーザの操作に従って、カメラ機能（撮影データ生成手段１１）を用いて、被写体を撮影し、撮影データを生成する（ステップＳ２３）。また、携帯電話機は、撮影と同時に、ＧＰＳ機能（位置データ算出手段１２）を用いて、ＧＰＳ通信を開始し、撮影位置を示す位置データを取得（算出）する（ステップＳ２４）。
【００３６】
この段階で、携帯電話機は、カメラ機能（撮影データ生成手段１１）を用いて撮影データを生成し、ＧＰＳ機能（位置データ算出手段１２）を用いて位置データを取得（算出）した状態となる。
【００３７】
ここで、ユーザが撮影した撮影データを記録せず、再撮影する操作を行う場合（ステップＳ１５ａ）には、携帯電話機は、処理をステップＳ２３に移行し、ステップＳ２３以降の処理を再度実行する。
【００３８】
一方、ユーザが撮影した撮影データを記録する操作を行うと（ステップＳ２５ｂ）、携帯電話機は、ステップＳ２３で生成した撮影データと、ステップＳ２４で取得（算出）した位置データとを記憶手段１３に記憶させる（ステップＳ２６）。
【００３９】
そして、携帯電話機は、ステップＳ２３で生成した撮影データと、ステップＳ２４で取得（算出）した位置データとを対応付ける（ステップＳ２７）。例えば、携帯電話機は、ステップＳ２６において、撮影データと位置データとを対応付けて記憶手段１３に記憶させる。又は、例えば、携帯電話機は、撮影データに、対応する位置データを特定可能なインデックス情報を付加してもよい。また、携帯電話機は、ステップＳ２３で生成した撮影データのバックデータとして、ステップＳ２４で取得（算出）した位置データを記憶手段１３に記憶させる。
【００４０】
そして、その後、例えば、ユーザが撮影した画像を見ているときに、撮影場所を表示する指示操作を行うと、携帯電話機は、ユーザの操作に従って、対応する位置データを記憶手段１３から抽出し、撮影位置を示す情報（例えば、地名や緯度、経度）を表示部に表示する。
【００４１】
以上のことから、本実施形態によれば、次のような効果を奏する。一般に、カメラ撮影が容易になり、撮影データが増えることによって、様々な問題を抱えるユーザは少なくない。例えば、撮影データの撮影場所が不明である（地名を忘れてしまった）ことや、複数の撮影データが似ているため、区別することができないこと、全く同じ場所で撮影をしたいが、詳細な撮影位置が不明であることなどである。
【００４２】
本実施形態では、携帯電話機は、撮影して生成した撮影データと、撮影した位置を示す位置データとを対応付けて記録する。さらに、撮影データと対応付けて記録する位置データは、ＧＰＳ機能（位置データ算出手段１２）を用いて取得（算出）したデータであるため、その位置精度は高い。そのため、上記のようなユーザが抱える問題を解決することができる。
【００４３】
実施形態３．
次に、本発明の第３の実施形態について説明する。図６は、第３の実施形態による撮影データ記録システムの適用例を示す説明図である。図６に示すように、第３の実施形態による撮影データ記録システムは、撮影データを取得（生成）可能なカメラ機能及び通信機能を備えたカメラ機と、ＧＰＳ衛星からＧＰＳ通信を行って位置データを取得（算出）可能なＧＰＳ機能及び取得（算出）した位置データをカメラ機に転送可能な位置データ転送機能を備えた携帯電話機とを含む。
【００４４】
図７は、第３の実施形態における撮影データ記録システムの機能構成の一例を示す機能ブロック図である。図７に示すように、第３の実施形態における撮影データ記録システムは、カメラ機と携帯電話機とを含む。
【００４５】
カメラ機は、撮影データ生成手段１１、記憶手段１３及び位置データ受信手段１５を含む。また、携帯電話機は、位置データ算出手段１２及び位置データ送信手段１６を含む。
【００４６】
位置データ受信手段１５は、具体的には、プログラムに従って動作するカメラ機が備えるＢｌｕｅｔｏｏｔｈ等を用いたデータ通信手段によって実現される。位置データ受信手段１５は、携帯電話機から位置データを受信する機能を備えている。
【００４７】
位置データ送信手段１６は、具体的には、プログラムに従って動作する携帯電話機が備えるＢｌｕｅｔｏｏｔｈ等を用いたデータ通信手段によって実現される。位置データ送信手段１６は、位置データ算出手段１２を用いて取得（算出）した位置データを、カメラ機に送信する機能を備えている。
【００４８】
次に、本実施形態における撮影データ記録システムの動作について図８を用いて説明する。図８は、第３の実施形態における撮影データ記録システムの処理例を示す流れ図である。
【００４９】
被写体を撮影するために、ユーザがカメラ機を用いて撮影操作を行うと、カメラ機は、ユーザの操作に従って、カメラ機能（撮影データ生成手段１１）を用いて、静止画又は動画を撮影し、撮影データを生成する。そして、カメラ機は、生成した撮影データを記憶手段１３に記憶させる（ステップＳ３１ａ）。
【００５０】
次いで、ユーザが携帯電話機を用いて位置データを取得（算出）する操作を行うと、携帯電話機は、ユーザの操作に従って、ＧＰＳ機能（位置データ算出手段１２）を用いて、位置データを取得（算出）する。そして、携帯電話機は、取得（算出）した位置データを携帯電話機が備える記憶部に記憶する（ステップＳ３１ｂ）。
【００５１】
なお、本実施形態では、ユーザが、カメラ機と携帯電話機とを、それぞれ操作する例について説明するが、カメラ機で撮影すると携帯電話機が連動して、自動的に位置データを取得（算出）するようにしてもよい。具体的には、カメラ機は、撮影すると、撮影したことを示す通知情報を携帯電話機に送信する。そして、携帯電話機は、カメラ機から通知情報を受信したことに基づいて、位置データを取得（算出）する。これによって、撮影すると自動的に位置データを取得（算出）するようにすることができる。
【００５２】
次いで、ユーザは、位置データの転送を行うために、例えば、Ｂｌｕｅｔｏｏｔｈを用いたデータ通信機能（位置データ受信手段１５及び位置データ送信手段１６）を起動する操作を行う。すると、カメラ機及び携帯電話機は、データ通信機能（位置データ受信手段１５及び位置データ送信手段１６）を起動する（ステップＳ３２）。
【００５３】
次いで、ユーザが位置データを転送する操作を行うと、カメラ機は、Ｂｌｕｅｔｏｏｔｈ等を用いた通信機能（位置データ受信手段１５）を受信状態に設定する。そして、携帯電話機は、Ｂｌｕｅｔｏｏｔｈ等を用いた通信機能（位置データ送信機能１６）を送信状態にし、カメラ機に、ステップＳ３１ｂで取得（算出）した位置データを送信する（ステップＳ３３）。なお、携帯電話機は、ＧＰＳ機能を用いて求めた位置データをそのまま送信するのではなく、その位置データに対応する地名に変換して送信するようにしてもよい。
【００５４】
次いで、カメラ機は、ステップＳ３３で受信した位置データと、ステップＳ３１ａで生成した撮影データとを対応付けて、記憶手段１３に記憶させる（ステップＳ３４）。
【００５５】
そして、例えば、ユーザが、撮影した画像を見ているときに、撮影場所を表示する指示操作を行うと、カメラ機は、ユーザの操作に従って、対応する位置データを抽出し、表示部に表示する。
【００５６】
また、例えば、ユーザが撮影データを表示操作する際に、位置データを表示しないように指示操作すると、カメラ機は、ユーザの操作に従って、撮影データをそのまま表示部に表示する。
【００５７】
なお、ユーザが撮影データを表示操作する際に、位置データを表示するように指示操作すると、カメラ機は、ユーザの操作に従って、撮影データに、位置データを重ねて、位置データ付きの撮影データを生成するようにしてもよい。そして、カメラ機は、位置データ付きの撮影データに基づいて、撮影位置を含む画像を表示部に表示するようにしてもよい。
【００５８】
以上のように、本実施形態では、ＧＰＳ機能を備えた携帯電話機から、ＧＰＳ機能を備えていないカメラ機に位置データを転送する。そのため、本実施形態によれば、ＧＰＳ機能を備えていないカメラ機であっても、位置データを取得（算出）可能な携帯電話機を用いて、撮影データと位置データとを対応付けて記録することができる。また、対応付けた位置データを重畳して位置データ付きの撮影データを表示部に表示することができる。
【００５９】
なお、本実施形態では、一例として、カメラ機と携帯電話機のデータ通信を、Ｂｌｕｅｔｏｏｔｈ等による無線通信によるデータ転送にて表記したが、無線通信に限らず、例えば、ＵＳＢ通信などの有線によるデータ転送をおこなってもよい。
【００６０】
次に、本発明による撮影データ記録装置の最小構成について説明する。図９は、撮影データ記録装置の最小の構成例を示す機能ブロック図である。図９に示すように、撮影データ記録装置は、最小の構成要素として、撮影データ生成手段１１と、位置データ算出手段１２と、位置データ付撮影データ生成手段１４とを含む。
【００６１】
図９に示す最小構成の撮影データ記録装置では、撮影データ生成手段１１は、被写体を撮影して撮影データを生成する。また、位置データ算出手段１２は、撮影データ生成手段１１が被写体を撮影する際に、撮影位置を示す位置データを算出する。そして、位置データ付撮影データ生成手段１４は、撮影データ生成手段１１が生成した撮影データに、位置データ算出手段１２が算出した位置データを重畳して、位置データ付きの撮影データを生成する。
【００６２】
従って、図９に示す最小構成の撮影データ記録装置によれば、ユーザは、位置データ付きの撮影データを見ることができ、撮影データの撮影位置を後から容易に把握することができる。
【００６３】
なお、本実施形態では、以下の（１）〜（５）に示すような撮影データ記録装置の特徴的構成が示されている。
【００６４】
（１）撮影データ記録装置は、被写体を撮影して撮影データを生成する撮影データ生成手段（例えば、撮影データ生成手段１１によって実現される）と、撮影データ生成手段が被写体を撮影する際に、撮影位置を示す位置データを算出する位置データ算出手段（例えば、位置データ算出手段１２によって実現される）と、撮影データ生成手段が生成した撮影データに、位置データ算出手段が算出した位置データを重畳して、位置データ付きの撮影データを生成する位置データ付撮影データ生成手段（例えば、位置データ付撮影データ生成手段１４によって実現される）とを含むことを特徴とする。
【００６５】
（２）撮影データ記録装置において、撮影データ生成手段が生成した撮影データと、位置データ算出手段が算出した位置データとを対応付けて記憶する記憶手段（例えば、記憶手段１３によって実現される）を含み、位置データ付撮影データ生成手段は、記憶手段から、撮影データと対応付けられた位置データを抽出し、抽出した位置データを撮影データに重畳して、位置データ付きの撮影データを生成するように構成されていてもよい。
【００６６】
（３）撮影データ記録装置において、位置データ付撮影データ生成手段は、ユーザが撮影データに位置データを重畳する指示操作を行った場合のみ、撮影データに位置データを重畳して、位置データ付きの撮影データを生成するように構成されていてもよい。
【００６７】
（４）撮影データ記録装置において、位置データ付撮影データ生成手段は、位置データを、地名を示す地名データに変換し、変換した前記地名データを重畳して、位置データ付きの撮影データを生成するように構成されていてもよい。
【００６８】
（５）撮影データ記録装置は、要求に応じて、撮影データに対応する位置データを記憶手段から抽出し、抽出した前記位置データを出力する出力手段を備えるように構成されていてもよい。
【産業上の利用可能性】
【００６９】
本発明は、撮影データを管理する用途に適用可能である。
【符号の説明】
【００７０】
１１  撮影データ生成手段
１２  位置データ算出手段
１３  記憶手段
１４  位置データ付撮影データ生成手段
１５  位置データ受信手段
１６  位置データ送信手段
【図１】
2010251923.tif 000003
【図２】
2010251923.tif 000004
【図３】
2010251923.tif 000005
【図４】
2010251923.tif 000006
【図５】
2010251923.tif 000007
【図６】
2010251923.tif 000008
【図７】
2010251923.tif 000009
【図８】
2010251923.tif 000010
【図９】
2010251923.tif 000011